(57)【要約】【課題】  押印操作時以外はシャッターが開かれることをなくし、開口より侵入した文具類などによって遮蔽板が開放されたり、破損されたりし難い印判を提供する。【解決手段】  多孔性の印字体２を備えた印判本体１と、この印判本体１の先方部分に嵌装されて常時は印字面より先に先端が位置する昇降鞘体５と、昇降鞘体５内に設けられて常時は印字体２を隠蔽しているが押印操作に伴う昇降鞘体５の上昇に連動して捺印可能な状態に開かれる一対の遮蔽板１５、１５よりなるシャッタ部材１４とよりなる印判において、シャッタ部材の一方の遮蔽板１５の先端を係合突片１５ａと係合受縁１５ｂとよりなる凹凸端縁とするとともに、他方の遮蔽板１５の先端も一方の遮蔽板１５の係合突片１５ａ、係合受縁１５ｂに対応する凹凸端縁として、常時はシャッタ部材１４の先端の凹凸端縁同士が係止組部２０としてロック状態とされるもの。【選択図】  図１
2006205440.tif 000002
【特許請求の範囲】
【請求項１】
無数の連続気孔を有する多孔性の印字体(2) を備えた印判本体(1) と、この印判本体(1) の先方部分に嵌装されて常時は弾発部材(6) の弾発力により印字体(2) の印字面より先に先端が位置する昇降鞘体(5) と、この昇降鞘体(5) 内に設けられて常時は印字体(2) を隠蔽するように先端同士を接触させているが押印操作に伴う昇降鞘体(5) の上昇に連動して捺印可能な状態に開かれる一対の遮蔽板(15)、(15)よりなるシャッタ部材(14)とよりなる印判において、シャッタ部材(14)の一方の遮蔽板(15)の先端を係合突片(15a) とその基部幅以上の幅の係合受縁(15b) とよりなる凹凸端縁とするとともに、他方の遮蔽板(15)の先端を前記した一方の遮蔽板(15)の係合突片(15a) 、係合受縁(15b) に対応させた係合受縁(15b) 、係合突片(15a) とよりなる凹凸端縁に形成して、常時はシャッタ部材(14)がその先端の凹凸端縁同士を係合させた係止組部(20)としてロック状態に保持されるようにしたことを特徴とする印判。
【請求項２】
遮蔽板の係合突片(15a) の突縁が円弧状で、係合受縁(15b) が直線状である請求項１に記載の印判。
【請求項３】
昇降鞘体(5) は、下端に着脱自在な取付筒体(16)が取付けられたものであり、この取付筒体(16)の内部にシャッタ部材(14)が取付けられている請求項１または２に記載の印判。      
【請求項４】
取付筒体(16)の内面には、係止組部(20)でロックされた遮蔽板(15)、(15)よりなるシャッタ部材(14)が押し込まれることを防ぐ補助突起(19)が設けられている請求項３に記載の印判。
【発明の詳細な説明】
【技術分野】
【０００１】
本発明は無数の連続気孔を有する多孔性の印字体を備えた印判に関するものである。
【背景技術】
【０００２】
無数の連続気孔を有する多孔性の印字体を備えた印判本体と、この印判本体の先方部分に囲装されて常時は弾性材料の弾発力により印字体の印字面より先に先端が位置する昇降套体と、この昇降套体内に設けられて常時は印字体が露呈されないように先端同士を接触させているが押印操作に伴い昇降套体が上昇されるとこれに連動して捺印可能な状態に開かれる一対の遮蔽板よりなるシャッタ部材とよりなる印判は既に知られている（例えば、特許文献１、２参照）。
【０００３】
しかし、従来のこの種の印判におけるシャッタ部材は一対の遮蔽板の先端同士を突き合わせて遮蔽を行っているため、引き出しのペン入れや携行用の筆箱等にシャープペンシルやボールペン、鉛筆あるいは千枚通し等と一緒に印判を保管した場合、引出しの開閉操作や携行時の振動等により、印判の捺印開口よりシャープペンシルやボールペン、鉛筆あるいは千枚通し等の文具類が侵入すると、突合せ縁より容易に挿し込まれて開放され、インキの蒸発が促進されて捺印不良を起こしやすくなるという問題があり、また、文具類が印面に接触してインキにより汚損されるという問題があった。さらに先の尖った文具類が挿し込まれると印面が損傷され印影の欠損を生じるという問題があるうえに、先の尖った文具類により開閉体や蓋片が変形したり、穴が開けられたりすると遮蔽が不完全となりインキが蒸発が早くなり長期耐用ができなくなるという問題があった。
【特許文献１】実公平７−２６１２７号公報
【特許文献２】特公平７−９０８７１号公報
【発明の開示】
【発明が解決しようとする課題】
【０００４】
本発明は、前記のような問題点を解決して、押印操作時以外はシャッターが開かれることをなくし、開口より侵入した文具類によって遮蔽板が開放され、侵入した文具類により印字体が損傷されたり、入り込んだ文具類が印面に触れてインキにより汚損されたりすることのない印判を提供することを目的とするものである。
【課題を解決するための手段】
【０００５】
前記した課題を解決した本発明の印判は、無数の連続気孔を有する多孔性の印字体を備えた印判本体と、この印判本体の先方部分に囲装されて常時は弾発部材の弾発力により印字体の印字面より先に先端が位置する昇降套体と、この昇降套体内に設けられて常時は印字体を隠蔽するように先端縁同士を接触させているが押印操作に伴う昇降套体の上昇に連動して捺印可能な状態に開かれる一対の遮蔽板よりなるシャッタ部材とよりなる印判において、シャッタ部材の一方の遮蔽板の先端を適当数の係合突片とその基部幅以上の幅の係合受縁とよりなる凹凸端縁に形成するとともに、他方の遮蔽板の先端を前記した一方の遮蔽板の係合突片、係合受縁に対応させた係合受縁、係合突片とよりなる凹凸端縁に形成して、常時はシャッタ部材がその先端の凹凸端縁同士を係合させた係止組部としてロック状態に保持されるようにしたことを特徴とするものである。なお、この発明における遮蔽板の係合突片の突縁および係合受縁の形状は限定されるものではないが、係合突片の突縁のみが円弧状で係合受縁を直線状としたものを請求項２とし、また、前記した昇降鞘体はその下端に着脱自在な取付筒体が取付けられたものとして、この取付筒体の内部にシャッタ部材を取付けたものを請求項３の発明とし、さらに、前記した取付筒体の内面に係止組部でロックされた遮蔽板よりなるシャッタ部材が押し込まれることを防ぐ補助突起を設けたものを請求項４の発明とする。
【発明の効果】
【０００６】
このような印判は、押印操作時以外である常時は印字体の印面がシャッターによって隠蔽されていることは従来のこの種の印判と同様であるが、本発明におけるシャッターは、印字体の印面を隠蔽しているシャッターが、一方の遮蔽板の係合突片が他方の遮蔽板の係合受縁に係合するとともに他方の遮蔽板の係合受縁に係合突片が係合した係止組部として両遮蔽板の先端縁同士がロック状態に保持されるものであるから、シャープペンシルやボールペン、千枚通し等の先尖りの文具類が捺印開口より侵入して両遮蔽板の接触部分である係止組部を突いても、左右の遮蔽板は互い違いに重ね合わせているので、接触部分から開かれて先尖りの文具類が突合せ面から挿し込まれ印面を損傷させることはない。しかも、遮蔽板は斜めに重ね合わせられていて先尖りの文具類の突刺力が分散されるので遮蔽板の破損を的確に防ぐことができ、遮蔽板の変形や損傷による遮蔽性能の低下がなくてインキの蒸発速度の変動は抑えられ設計通りの耐用期間を維持できる。
【０００７】
また請求項２のように、遮蔽板の係合突片の突縁を円弧状としたものは、押印操作に連動して遮蔽板が閉じられる際、互いの遮蔽板の係合突片の先端突縁がその円弧に倣って係合受縁に円滑に介入するので、角部が引っかかって遮蔽が不完全となることはないのでより好ましく、また、請求項３のように、シャッタ部材を昇降鞘体の下端に着脱自在に連結した取付筒体の内部に取付けたものはシャッタ部材が破損したときに取付筒体を交換するだけでよいものとなり、さらに、請求項４のように、取付筒体の内面に、係止組部でロックされた遮蔽板よりなるシャッタ部材が外部から強く押圧されたときに必要以上押し込まれることを防ぐ補助突起を設けたものは、係止組部でロックされたシャッタ部材をさらに強固にロックするのでより好ましい。
【発明を実施するための最良の形態】
【０００８】
次に、本発明の好ましい実施の形態を図に基づいて詳細に説明する。
図において、１は印判本体であって、この印判本体１は無数の連続気孔を有する多孔性の印字体２を内套体４に内装した軸筒体３の先端に取り付けたものである。５は印判本体(1) の先方部分に囲装されている昇降鞘体であって、この昇降鞘体５は常時はこれにスライド自在に遊挿されている外套体７をコイルばねなどの弾発部材６の弾発力により弾発して昇降鞘体５の先端が印字体２の印字面より先に位置するようにして、外套体７と内套体４とが昇降鞘体５と連動してスライドするものとしている。
【０００９】
なお、前記した印判本体１の軸筒体３は印字体２にインキを供給するインキ吸蔵体と、該インキ吸蔵体のインキが消費された際に外部からインキを補給できるインキ補給口が形成されており、３ａはインキ補給口を施蓋する蓋体である。
【００１０】
また、前記内套体４の先方部には昇降鞘体５の後端に形成される内鍔部５ａを係止させる段部１０が形成されるとともに、後方部には外套体７の後部に形成される内筒７ａの先端縁を当接させる段部１１が形成されている。さらに、内套体４の後部に形成される細筒部４ａの後端には外套体７の前記した内筒７ａの内面に形成される環状の段部７ｂと係合する環状の係止部１２が形成され、このような構成とすることにより、印判本体１の軸筒体３を内装させている内套体４が昇降鞘体５に対してスライド下降して印字体２の印面が被捺印面に達し捺印が行われるようにしてある。
【００１１】
そして、この昇降鞘体５には、常時は印字体２を隠蔽するように先端同士を接触させているが、押印操作に伴う昇降鞘体５の上昇に連動して捺印可能な状態に開かれる左右一対の遮蔽板１５、１５よりなるシャッタ部材１４を内部に取付けた取付筒体１６が連結されている。この取付筒体１６は、図示例では昇降鞘体５の先端縁を係止する内鍔１７ａを中間部に形成した外筒１７と、該外筒１７の内面に嵌合され後端を前記内鍔１７ａに当接させるとともに先端の外鍔１８ａを外筒１７の先端に当接させた内筒１８とからなり、遮蔽板１５は外筒１７と内筒１８間に形成したポケット部に取付片１５ｃを挿入して取付けられるものとしているが、このような二重筒とせずに単筒の内側に取付片１５ｃを取付けできるようにしてもよい。なお、印字体２を交換する際には、昇降鞘体５から取付筒体１６を取り外すことにより行われるものとしてあり、また、図８に示すように、取付筒体１６の内面には開口より侵入した物によって係止組部２０でロックされてＶ字形を呈している遮蔽板１５、１５よりなるシャッタ部材１４がより強く押圧されても押し込まれることを防ぐようにする下尖状の補助突起１９が必要に応じて設けられている。
【００１２】
さらに、シャッター部材１４は図５に示されるように、互い違いに重ね合わせられて印面を遮蔽するよう、位相を異ならせた係合突片１５ａと係合受縁１５ｂとよりなる凹凸端縁を有する左右一対の略半円形の遮蔽板よりなるものとしている。すなわち、一方の遮蔽板１５の先端は適当数の係合突片１５ａとその基部幅以上の幅の係合受縁１５ｂとよりなる凹凸端縁に形成されるとともに、他方の遮蔽板１５の先端は前記した一方の遮蔽板１５の係合突片１５ａ、係合受縁１５ｂに対応させた係合受縁１５ｂ、係合突片１５ａとよりなる凹凸端縁に形成され、また、基部には取付片１５ｃを形成してある。なお、遮蔽板１５としては、繰返し行われる開閉動作に対して十分な耐久性が得られるものであれば材質を限定するものではないが、実施例では、ポリプロピレン樹脂などの強靱な合成樹脂材よりなるものとしてある。
【００１３】
また、左右の遮蔽板１５が位相を異ならせた係合突片１５ａと係合受縁１５ｂとよりなる凹凸端縁はこれらを互い違いに重ね合わせて係合させた際、その交差係合して係止組部２０が組まれるものとしており、このように左右の遮蔽板１５、１５の係止組部２０によって遮蔽板１５の折り畳み方向に作用する弾発力が受け止められ、両遮蔽板１５は係合ロックされて印面との間に引張力や押圧力に強い強固な空間を形成している。
【００１４】
前記した遮蔽板１５、１５は押印操作時に下降する印字体２の外枠に当接することにより連動し弾発力に抗して自動的に押し開かれるようになっている。さらに、遮蔽板１５の係合突片１５ａはその突縁を角部のない円弧状としてあり、このように円弧状とすることにより他方の遮蔽板１５に重なり合っていく際、係合が円滑に行われて遮蔽不良が生じることがないようにしてある。
【００１５】
また、外套体７と内套体４とは、昇降鞘体５の内鍔部５ａに先端を当接させるとともに、後端を外套体７の後部に形成されるリブ７ａに当接させたコイルばねなどの弾発部材６により付勢され、軸筒体３を上昇させて昇降鞘体５内に収納されるようにするとともに、シャッター部材１４が印字体２の外枠に押されて開放されることがないようにしてあり、このようにすることによってシャッター部材１４はその弾発力により左右の遮蔽板１５、１５を係合ロックして印面を強固に遮蔽するので、他物が侵入しても遮蔽板１５は不用意に開放されることがなく、印面を的確に保護するとともに印面に他物が触れて汚損させることがない。
【００１６】
しかして、捺印操作時には、取付筒体１６の先端縁を紙面に当接させたうえ、外套体７を押圧して弾性部材６の付勢力に抗して印字部材３を下降させれば、図２に示されるように下降する印字体２の外枠により支持部材１６に取り付けられている左右の遮蔽板１５、１５の基部は押圧されるのでシャッター部材１４は開放され、印字体２は紙面に接触して捺印が行われることとなる。
【００１７】
２５は印字体２を備えた軸筒体３を取り出す際のプッシュボタンであり、このプッシュボタン２５は内套体４の細筒部４ａに嵌合され、先端の環状係止部を内套体４の内面段部に係合させて抜け落ちることがないようにしている。そして、軸筒体３を取り出す際は、先ず昇降鞘体５から取付筒体１６を外した後、プッシュボタン２５を内套体４の細筒部４ａ内に押し込めば、軸筒体３はプッシュボタン２５に押されて内套体４から抜き出されることとなる。このようにして軸筒体３を抜き出したうえ印字体２を交換したり、蓋体３ａを外してインキ補給口よりインキをインキ吸蔵体に補給したりすればよい。
【００１８】
なお、図６、７はシャッター部材１４の他の例を示すものであり、該シャッター部材１４は遮蔽板１５の係合突片１５ａと係合受縁１５ｂを一つとして１箇所だけで係止組部２０が組まれるものとし、先尖りの文具類が侵入しやすい部位を一つとして先尖りの文具類が侵入する可能性を低減させるとともに、形状を簡単なものとして安価な成形型やプレス型により製造するようにして製品コストを低減させるという作用効果を有するた点以外は、前記好ましい実施の形態に示されるシャッター部材１４と構成および作用効果は同じため同一符号を付して説明は省略する。
【００１９】
このように構成されたものは、昇降鞘体５内に設けられて常時は印字体２を隠蔽しているが押印操作に伴う昇降鞘体５の上昇に連動して捺印可能な状態に開かれるシャッタ部材１４として、一方の遮蔽板１５の先端を適当数の係合突片１５ａとその基部幅以上の幅の係合受縁１５ｂとよりなる凹凸端縁とするとともに、他方の遮蔽板１５の先端を前記した一方の遮蔽板１５の係合突片１５ａ、係合受縁１５ｂに対応して位相を異ならせた係合受縁１５ｂ、係合突片１５ａとよりなる凹凸端縁に形成してあるものが用いられていて、常時はシャッタ部材１４の先端の凹凸端縁同士が係合された係止組部２０でロック状態に保持されるようにしてあるので、印字体２の印面が常時はシャッター１４によって隠蔽され、このため、印面により周囲が汚されたり、印面が乾燥することがないことは勿論のこと、シャープペンシルやボールペン、千枚通し等の先尖りの文具類が捺印開口より侵入して両遮蔽板１５、１５の接触部分である係止組部２０を突いても、左右の遮蔽板１５、１５が互い違いに重ね合わせていることにより、接触部分から開かれることがなく、従って、文具類が突合せ面から挿し込まれて印面を損傷させることがないように的確に印字面が保護されることとなる。
【００２０】
また、各遮蔽板１５、１５の凹凸端縁が互いに弾発圧接されるので、シール性が高く、インキなどの蒸発はより確実に防止できる。さらに、遮蔽板１５、１５の係合突片１５ａ、１５ａの形状は特に限定されるものではないが、これらの突縁を円弧状としたものは、押印操作に連動して遮蔽板が１５、１５が閉じられて係止組部２０が形成される際、互いの遮蔽板１５、１５の係合突片１５ａ、１５ａの先端突縁がその円弧に倣って係合受縁１５ｂ、１５ｂに円滑に介入するので、角部が引っかかって遮蔽が不完全となることがなくて特に好ましい。
【００２１】
本発明は前記したように従来のこの種の印判のもつ問題点を解決して、押印操作時以外はシャッターが開かれることをなくし、開口より侵入した文具類によって遮蔽板が開放され、侵入した文具類により印字体が損傷されたり、入り込んだ文具類が印面に触れてインキにより汚損されたりすることのない印判を提供することができる。
【図面の簡単な説明】
【００２２】
【図１】本発明の好ましい実施の形態を示す断面図である。
【図２】同じく側面図である。
【図３】同じく平面図である。
【図４】同じく底面図である。
【図５】シャッター部材を分解して示す斜視図である。
【図６】他のシャッター部材を組み込んだ状態を示す底面図である。
【図７】他のシャッター部材を分解して示す斜視図である。
【図８】取付筒体の要部の正面図である
【符号の説明】
【００２３】
１    印判本体
２    印字体
３    軸筒体  
４    内套体
５    昇降鞘体
６    弾発部材
７    外套体
14    シャッタ部材
15    遮蔽板
15a   係合突片                                                                  15b   係合受縁
16    取付筒体
19    補助突起
20    係止組部  
【図１】
2006205440.tif 000003
【図２】
2006205440.tif 000004
【図３】
2006205440.tif 000005
【図４】
2006205440.tif 000006
【図５】
2006205440.tif 000007
【図６】
2006205440.tif 000008
【図７】
2006205440.tif 000009
【図８】
2006205440.tif 000010